(57)【要約】掃除対象面を処理するための掃除機（２）用の掃除ローラ（１）、特に湿式掃除機用の拭きローラであって、前記掃除ローラ（１）が、長手軸（３）の周りで回転可能なローラコア（４）と、駆動シャフトのためのベアリング（５）と、前記ローラコア（４）を周方向に囲包するローラカバー（６）とを有する、前記掃除ローラにおいて、  前記ローラコア（４）が、前記長手軸（３）に垂直な断面において前記掃除ローラ（１）の周方向に互いに隣り合って配置された複数のバネ要素（７）を有し、前記バネ要素の各々が前記ベアリング（５）から前記ローラカバー（６）まで延在することを特徴とする。【選択図】図２
2018531057.tif 000002
【特許請求の範囲】
【請求項１】
掃除対象面を処理するための掃除機（２）用の掃除ローラ（１）、特に湿式掃除機用の拭きローラであって、前記掃除ローラ（１）が、長手軸（３）の周りで回転可能なローラコア（４）と、駆動シャフトのためのベアリング（５）と、前記ローラコア（４）を周方向に囲包するローラカバー（６）とを有する、前記掃除ローラにおいて、
前記ローラコア（４）が、前記長手軸（３）に垂直な断面において前記掃除ローラ（１）の周方向に互いに隣り合って配置された複数のバネ要素（７）を有し、前記バネ要素の各々が前記ベアリング（５）から前記ローラカバー（６）まで延在することを特徴とする掃除ローラ。
【請求項２】
前記掃除要素（７）が、弾性変形可能な材料、特にプラスチックから作製されることを特徴とする請求項１に記載の掃除ローラ（１）。
【請求項３】
バネ要素（７）の第１端部領域（８）が前記ベアリング（５）に割り当てられると共に、
前記バネ要素（７）の第２端部領域（９）が前記ローラカバー（６）に割り当てられ、隣り合う前記バネ要素（７）同士の前記第１端部領域（８）及び前記第２端部領域（９）の双方が、周方向に互いに離間していることを特徴とする請求項１又は２に記載の掃除ローラ（１）。
【請求項４】
前記バネ要素（７）に掃除ローラ（１）の重量を印加することにより、周方向において前記バネ要素（７）の間に挟まれた前記ローラカバー（６）の支持面（１０）が前記掃除対象面上で拡大されるように、隣り合う前記バネ要素（７）が互いに対して変位可能であることを特徴とする請求項１〜３のいずれかに記載の掃除ローラ（１）。
【請求項５】
前記バネ要素（７）が実質的にＵ形に形成され、隣り合うバネ要素（７）が、特に周方向において互いに蛇行して連結されていることを特徴とする請求項１〜４のいずれかに記載の掃除ローラ（１）。
【請求項６】
前記バネ要素（７）が、前記ベアリング（５）と前記ローラカバー（６）との間に径方向に形成されていることを特徴とする請求項１〜５のいずれかに記載の掃除ローラ（１）。
【請求項７】
前記バネ要素（７）が、周方向及び径方向に互いに隣り合って配置され凹面が前記ベアリング（５）に向いた鎌状の湾曲した薄板であることを特徴とする請求項１〜４のいずれかに記載の掃除ローラ（１）。
【請求項８】
前記バネ要素（７）が、前記ベアリング(５)に対して旋回させられることを特徴とする請求項１〜７のいずれかに記載の掃除ローラ（１）。
【請求項９】
前記バネ要素（７）が、前記長手軸（３）の方向において前記掃除ローラ（１）の全長に亘って形成されていることを特徴とする請求項１〜８のいずれかに記載の掃除ローラ（１）。
【請求項１０】
掃除対象面を処理するための掃除機（２）用の掃除ローラ（１）、特に湿式掃除機用の拭きローラであって、前記掃除ローラ（１）が、長手軸（３）の周りで回転可能なローラコア（４）と、駆動シャフトのためのベアリング（５）と、前記ローラコア（４）を周方向に囲包するローラカバー（６）とを有する、前記掃除ローラにおいて、
前記ローラコア（４）が少なくとも１つのエア室（２０）を有することを特徴とする掃除ローラ。
【請求項１１】
回転可能な掃除ローラ（１）、特に請求項１〜１０のいずれかに記載する掃除ローラを有する掃除機（２）であって、前記掃除ローラ（１）が、長手軸（３）の周りで回転可能なローラコア（４）と、駆動シャフトのためのベアリング（５）と、前記ローラコア（４）を周方向に囲包するローラカバー（６）とを有する、前記掃除機において、
前記ローラコア（４）が、前記長手軸（３）に垂直な断面において前記掃除ローラ（１）の周方向に互いに隣り合って配置された複数のバネ要素（７）を有し、前記バネ要素の各々が前記ベアリング（５）から前記ローラカバー（６）まで延在することを特徴とする掃除機。
【発明の詳細な説明】
【技術分野】
【０００１】
本発明は、掃除対象面を処理するための掃除機用の掃除ローラに関し、特に湿式掃除機のための拭きローラに関し、その掃除ローラが、長手軸の周りで回転可能なローラ芯を有し、駆動軸用のベアリングとローラ芯を周方向に巻くローラカバーを具備する。
【０００２】
さらに、本発明は、回転可能な掃除ローラを有する掃除機に関し、その掃除ローラが、長手軸の周りで回転可能なローラ芯を有し、駆動軸用のベアリングとローラ芯を周方向に巻くローラカバーを具備する。
【背景技術】
【０００３】
上述したタイプの掃除ローラは、従来公知である。それらの掃除ローラは、濡れた掃除面又は乾いた掃除面に用いられる。
【０００４】
掃除ローラは、通常、発泡体からなる円筒形のローラコアを有する。ローラコアは、ローラコアの中心に収容された長手軸を中心に回転可能である。このために、ローラコアは、掃除機の駆動シャフト用のベアリングを有する。ローラカバーが、ローラコアの外側に固定されている。このカバーは、通常、マイクロファイバ材からなり、好適にはローラコアから取り外し可能である。
【０００５】
特許文献１は、掃除ローラを具備する掃除機を開示し、掃除ローラが着脱可能に固定された管状掃除要素を有するような掃除機用の掃除ローラであると共に、この掃除要素が管状の軟発泡中空体を有する。掃除カバーが、発泡中空体の外面上に適用され、外面に密着している。
【先行技術文献】
【特許文献】
【０００６】
【特許文献１】独国特許出願公開第10 2007 052 982号公報
【発明の概要】
【発明が解決しようとする課題】
【０００７】
上述した従来技術に鑑み、本発明の目的は、特に最適な掃除効果に関連して、掃除ローラ又はこのような掃除ローラを有する掃除機をさらに改善することである。
【課題を解決するための手段】
【０００８】
上記の目的を達成するために、本発明は、掃除ローラのローラコアが、長手軸に垂直な断面において掃除ローラの周方向に互いに隣り合って配置された複数のバネ要素を有し、それらが各々ベアリングからローラカバーまで延在していることを提示する。
【０００９】
従って、ローラコアが、ベアリングの周りに配置された複数のバネ要素を有する。バネ要素は、一方では掃除ローラの長手軸の方向に延在し、他方ではベアリングとローラカバーとの間に延在する。バネ要素は、好適には、ここでは平坦な板として形成され、それらがベアリング上に配置され、ローラカバーの方に向いている。この構成の結果、汎用的な発泡ローラコアを具備する掃除ローラにおけるローラカバーが、掃除対象面に対して強いバネ力により押し付けられ、より大きな接触面で掃除対象面上に載置される。従来技術と比較してバネ要素の強いバネ力により、掃除ローラの重量が印加されたときにローラカバーがバネ力により引っ張られることによって、掃除プロセス中にローラカバーに皺が寄ることがない。もし皺が寄ってしまったならば掃除効果は低下してしまう。バネ要素のバネ力は、掃除対象面上の凹凸を相殺することを可能とするので、ローラカバーは掃除対象面に最大限に接触することとなる。掃除対象面との接触中におけるバネ要素の変位又は拡張は、掃除ローラの周長を一定に維持することにより、ローラカバーの皺を防止する。柔らかい発泡体と比較してバネ要素の利点は、復元力がより強く直接的に作用することである。特に、重量による力は、掃除ローラと掃除対象面との間の接触面の縁領域にも伝えられる。
【００１０】
もちろん、本発明は、ベアリングが掃除ローラの全長に亘って形成されておらず掃除ローラの端部領域にのみ駆動シャフトと接続するためのベアリング位置を設けた掃除ローラにも適用することができる。従って、ベアリングが形成されていない断面が、掃除ローラの長手軸方向の多様な断面に関して存在し得る。本発明の主旨において、バネ要素は、−この断面に関して−、長手軸からローラカバーまでの一つの方向に延在している。
【００１１】
バネ要素が、弾性的に変形可能な材料、特にプラスチックから作製されることが提示される。特に、押出成形又は射出成形により処理可能なプラスチックが適切であるので、バネ要素は量産品として押出成形又は射出成形され、その後バネ要素に型押しすることができる。バネ要素は、その後掃除ローラのベアリング上に搭載される。それに替えて、バネ要素を金属から作製することも可能であり、特に金属板から作製することが可能である。
【００１２】
さらに、バネ要素の第１端部領域がベアリングに割り当てられると共に、バネ要素の第２端部領域がローラカバーに割り当てられることが提示され、結合したバネ要素の複数の第１端部領域と複数の第２端部領域のいずれもが、周方向において互いに離れている。バネ要素は、ベアリングの周面上の１つの線形領域（第１端部領域）からローラカバーまで延在する。ここでは、バネ要素がローラカバーに接続される必要はない。その替わりに、特にローラカバーがローラコアから分離されることが推奨され、それによってローラカバーをローラコアから必要に応じて掃除後に取り外すことができる。バネ要素の第２端部領域は、ここではローラコアの周面上に位置することが有利であり、ローラコアはバネ要素を囲包する閉鎖面として、又は、ある種の開放構造として構成されている。その場合、バネ要素の第２端部領域は、ベアリングから同じ距離だけ離れており、従ってやはり掃除ローラの長手軸に垂直な断面において円を描いている。第１端部領域及び／又は第２端部領域が、各周面上に等間隔に配置されることが推奨され、それによってローラコアが均一に配置されたバネ要素を有することになる。しかしながらそれに替えて、幾つかのバネ要素の第１端部領域が、ベアリングの同じ周方向位置に形成されると共にローラカバーの異なる周方向位置まで延在するような変形形態を設けることも可能である。これは、ローラコアの内側のバネ要素の不均一配置を形成する。
【００１３】
さらに、バネ要素に掃除ローラの重量を加えることにより、掃除対象面上において周方向に隣り合うバネ要素同士の間で引っ張られたローラカバーの支持面が拡大するように、隣り合うバネ要素が互いに対して変位可能であることが提示される。この構成の結果、掃除ローラを掃除対象面に置いたときに掃除ローラの重量が印加されることにより、２又はそれ以上の隣り合うバネ要素が変位して互いに離れ、それによってそれらの端部領域同士の間の距離が大きくなる。それにより、個々のバネ要素に割り当てられたローラカバーの領域が、バネ要素の端部領域同士の間で引っ張られることによって、バネ要素同士の間の掃除対象面上のローラカバーの支持面が拡大する。その結果、掃除ローラがより大きな面で掃除対象面上に載置され、それがより良好な掃除結果をもたらす。支持面を引っ張ることは、ローラカバーに皺が寄ることを防止する。例えば、１ｋｇの重量がかかる場合、直径４５ｍｍの掃除ローラの支持面が（周方向において）例えば２０ｍｍから２５ｍｍへと達する。ここでは、掃除ローラについて、２５０〜５００回転／分の速度と、約２５０ｍｍの長さが想定されている。
【００１４】
バネ要素からなるローラコアと組み合わせて、ローラカバーが布製（特に弾性の）掃除層、例えばマイクロファイバー層を有することが推奨される。それは、掃除ローラの周面を一定に維持し、すなわち皺の防止に寄与し、かつなお掃除対象面上で最大限広い支持面を有するべく変形可能である。ローラカバーはさらに、掃除ローラの重量を支持面の縁領域まで伝達する。
【００１５】
本発明の可能な実施形態では、バネ要素が実質的にＵ形に形成される。その場合、隣り合うバネ要素が、特に周方向において互いに蛇行して連結されている。Ｕ形のバネ要素の脚部は、ここではベアリングの領域で互いに連結されることが有利であり、それらの脚部同士の間に位置するＵ形の部分領域がローラカバーの方に向いている。必要に応じて、バネ要素は、ローラカバーが当接するローラコアの周面上にウェブを用いて配置することができる。これにより、ベアリングとローラカバーとの間のバネ要素の蛇行構造が得られる。その場合、蛇行形状の隣り合うループは、周方向に等間隔に配置されている。バネ要素に掃除ローラの重量が印加されると、掃除対象面の領域に配置された蛇行形状のループが圧縮されることによって、掃除ローラの支持面が拡大する。バネ要素とローラカバーとの間に配置されたウェブは、ここでは可能な限りオープンに拡がり、すなわち互いに離れることによって、掃除ローラの可能な最大限の表面が掃除対象面上に載置される。同時に、ローラカバーが皺に対抗するように引っ張られる。
【００１６】
バネ要素が、ベアリングとローラカバーとの間に径方向に形成されることが提示される。特に単純な構成においては、バネ要素が、ベアリングからローラカバーの方に径方向に向いた板であり、その板は、長手軸に垂直な断面においてベアリングから径方向外側に向いている。しかしながら、上述したＵ形のバネ要素の実施形態に関して、これらもまたベアリングとローラカバーとの間において径方向に揃うことができ、それによって蛇行形状のループの対称軸が径方向に向くことになる。
【００１７】
別の実施形態では、バネ要素を、周方向及び径方向に互いに隣り合って配置された鎌状の湾曲した薄板とすることができ、それらの凹面がベアリングに向いている。この実施形態は、例えば虹彩絞りの薄板において知られているバネ要素の配置をもたらす。従って、バネ要素は、ベアリングの周囲に沿って互いにずれて配置されており、その場合、バネ要素の複数の第１端部領域及び複数の第２端部領域が、ベアリング上又はロールカバーの領域上で互いにずれていることによって、バネ要素は、径方向において互いに上下に配置されている。バネ要素の鎌状の湾曲はまた、バネ要素を掃除ローラの周方向に拡張させることによって、一方では支持面の自由に動く縁領域で径方向の拡大を生じ、他方では支持面の中央領域に大きな圧縮を生じる。
【００１８】
さらに、バネ要素がベアリングに対して旋回させられることが提示される。例えば、ベアリングにおけるローラコアの方に向いている側が、バネ要素のための溝付きの受容部を有することができ、その中にバネ要素の第１端部領域が係合し、そして規定された角度範囲内で旋回することができる。このことは、バネ要素に隣り合う開口を拡げることに寄与することができ、それによってバネ要素は、一方ではその弾性により、そして他方ではそのベアリング上での旋回性により互いに離れることができる。さらに、一実施形態におけるバネ要素が剛性であり、すなわち非弾性的に形成されることも可能であり、そしてバネ要素をベアリングと接続することにより、例えばベアリング上のバネ要素のための弾性受容要素を用いて接続することにより、バネ特性が得られることも可能である。
【００１９】
バネ要素が、長手軸の方向に掃除ローラの全長に亘って形成されていることが提示される。バネ要素は、ここでは薄い板であることが有利であり、それらは一方では掃除ローラの長手軸全体に沿って延在し、他方ではベアリングとローラカバーとの間に延在する。しかしながらそれに替えて、バネ要素がローラコアの長手軸に沿った所定の部分にのみ形成されることもできる。バネ要素が配置された長手軸の方向から視ると、これにより、バネ要素が配置されたローラコア内の領域と、バネ要素が無く例えば発泡体で充填された領域とを生じる。
【００２０】
本発明においては、掃除ローラがさらに、特に、掃除ローラの長手軸に沿った部分領域を変えることに関して多様なタイプの上述したバネ要素を有することができる。加えて、バネ要素は、例えばＵ形バネ要素、鎌状に湾曲した薄板、又はベアリングとローラカバーとの間に径方向に形成されたバネ要素に関係して、異なるバネ要素の構成が付与された場合に、上述したベアリング上に旋回可能に装着することができる。
【００２１】
本発明によれば、掃除ローラのローラコアの別の構成も提示され、その場合、ローラコアが少なくとも１つのエア室を有する。この実施形態でも、掃除ローラは、長手軸の周りで回転可能なローラコアと、駆動シャフトのためのベアリングと、ローラコアを周方向に囲包するローラカバーとを有する。エア室は、ベアリングの周りに同軸状に配置され、同じく長手軸の方向に延在する。エア室は、ここでは掃除ローラの全長に亘って形成することができ、又は、長手軸の一部にのみ形成することもできる。エア室を有しない部分は、例えば発泡体で充填することができる。ここでは、エア室が、長手軸に垂直な断面において単一の連続した空間として形成されることが提示される。しかしながらこれに替えて、ローラコアが複数のエア室を有し、それらがローラコアの周方向に互いに隣り合って配置されることも可能である。この場合、複数の分離されたエア空間が周方向に形成される。１つのエア室又は周方向に互いに隣り合う複数のエア室は、ホースの一種としてベアリングと接続されたリムに装着される。リムは、プラスチックから作製されることが有利であり、それによりできるだけ軽量とすることができ、処理中にエア室を担持し、エア室を挟むための十分に実質的な剛性も有する。１又は複数のエア室は、掃除ローラ又は掃除機の重量が印加されたとき、表面に対向したエア室が平らとなるような種類の圧力に曝されるのみであり、従って、掃除対象面上のローラコア又はローラカバーの支持面においては部分円を形成せずに、それと比較して平坦な面を形成し、このことは、相互作用面が拡大するという点において掃除対象面のより良好な掃除を可能とする。加えて、掃除対象面の凹凸も、掃除ローラがそれに対して合わせることができるので平滑化される。１又は複数のエア室を有する掃除ローラは、ここでは不完全に空気を入れたタイヤをもつ車輪に似ており、タイヤの載置されている部分円周面をもって表面に置かれたときに平坦となる。。
【００２２】
均一な掃除結果を得るために、ローラカバーの外面が長い繊維と短い繊維をもつ領域を有することによって、ローラカバー内に蓄積した水分のどのような不均一さも、支持面上で低減することができる。さらに、ローラカバーが、支持面と非支持面の双方を有することができ、そのことによってローラカバーは、一方では掃除対象面上で最大限に拡大することができ、他方では塵の分解と収集の作業を満たすことができる。
【００２３】
上述した掃除ローラとは別に、本発明は回転可能な掃除ローラ、特に上述した掃除ローラを有する掃除機も提示する。その場合、掃除ローラが、長手軸の周りで回転可能なローラコアと、駆動シャフトのためのベアリングと、ローラコアを周方向に囲包するローラカバーとを有し、ローラコアは、長手軸に垂直な断面において互いに隣り合って配置された複数のバネ要素を有し、それらは各々ベアリングからローラカバーまで延在している。掃除機についての本発明により得られる利点は、掃除ローラの特徴及び利点から導出されるものと同様のものが可能である。従って、総じてこのことは、掃除対象面の特に徹底したかつ迅速な掃除を可能とする掃除機をもたらす。
【図面の簡単な説明】
【００２４】
【図１】図１は、本発明による掃除機である。
【図２】図２は、掃除ローラの第１の実施形態の斜視図である。
【図３】図３は、図２の掃除ローラの断面図である。
【図４】図４は、無負荷状態の掃除ローラの第２の実施形態である。
【図５】図５は、負荷状態の図４の掃除ローラである。
【図６】図６は、掃除ローラの第３の実施形態の斜視図である。
【図７】図７は、図６の掃除ローラの断面図である。
【図８】図８は、掃除ローラの第４の実施形態の斜視図である。
【図９】図９は、図８の掃除ローラの断面図である。
【図１０】図１０は、無負荷状態の掃除ローラの第５の実施形態である。
【図１１】図１１は、負荷状態の図１０の掃除ローラである。
【図１２】図１２は、掃除ローラの第６の実施形態である。
【図１３】図１３は、掃除ローラの第７の実施形態である。
【図１４】図１４は、掃除ローラの第８の実施形態である。
【発明を実施するための形態】
【００２５】
図１は、ここでは手動で案内される湿式掃除機として構成された掃除機２を示す。掃除機２は、ベースユニット１２と、ベースユニット１２に配置されたアタッチメント１１とを有する。アタッチメント１１は掃除ローラ１を有し、その長手軸３は、掃除機２の特に掃除動作に関する通常の移動方向に対して垂直であり、ユーザは掃除機２を前方に押したり後方に引いたりする。アタッチメント１１はさらに、液体タンク（図示せず）を設けられ、タンクに洗浄液を充填するために上部に充填孔１５を有する。ベースユニット１２には、特に伸縮可能でユーザの体格に合わせて調整される柄１３も形成されている。柄１３の自由端領域に取っ手１４が配置され、オンオフスイッチ等を有することができる。
【００２６】
図示しないが、本発明はさらに、掃除ローラ１を用いて床面を乾式掃除するように構成された掃除機２への適用も可能である。以下に説明する掃除機１の構造設計は、このことによる不利な影響無しに維持される。
【００２７】
図１及び図２は、掃除ローラ１の第１の実施形態の斜視図である。掃除ローラ１は、長手軸３を具備する円筒体として実質的に構成されている。特に、掃除ローラ１は、掃除ローラ１を回転させる掃除機２の駆動シャフトを保持するための中央のベアリング５と、ローラコア４と、ローラコア４を囲包するローラカバー６とを有する。ローラカバー６は、ここではマイクロファイバ層であり、ローラコア４上を長手軸３の方向に取り外し可能に滑らせることができる。ローラカバー６は、交換又は掃除のために掃除ローラ１から取り外すことができる。ローラコア４は、複数のバネ要素７を有し、この実施形態では、それらは鎌状の湾曲した薄板である。バネ要素７は、掃除ローラ１の長手軸３の方向及びその周方向の双方において延在する。バネ要素７は、ここでは弾性的に変形可能なプラスチックからなることによって、掃除ローラ１又は掃除機２の重量が印加されたとき、特にベアリング５の方に曲がるように変形することができる。
バネ要素７は、各々、第１端部領域８と第２端部領域９とを有する。第１端部領域８がベアリング５に割り当てられる一方、第２端部領域９はローラカバー６に隣接するローラコア４の周縁領域に割り当てられる。ローラカバー６は、ここではバネ要素７の第２端部領域９上に直接載置され、ローラコア４の閉じた円筒形の周縁表面を形成する。ローラカバー６が弾性的に形成されることにより、引っ張られたときローラコア４に対して当接すると共に、掃除ローラ１が回転するときローラコア４の周りで回転しない。バネ要素７の第１端部領域８は、溝を有する共有の端部領域ベース１７を有し、その中にベアリング５の突起１８が係合することができる。それらの溝及び突起１８は、掃除ローラ１の長手軸３に対して平行に、すなわち掃除ローラ１の回転方向に垂直な方向に延在することによって、それらは互いに回転不能に結合されている。図３は、掃除ローラ１の断面図である。図示の通り、鎌状のバネ要素７が存在し、その凹面がベアリング５に向いている。
【００２８】
図４及び図５は、掃除ローラ１の第２の実施形態を示し、無負荷状態（図４）と負荷状態（図５）が比較されている。図４では、掃除ローラ１は未だ掃除対象面上に置かれていないので、バネ要素７は未だ変形しておらず、その替わりにローラコア４及びローラカバー６にはなお、掃除機ローラ１又は掃除機２の重量の印加による変形を生じていないバネ要素７が等間隔で配置されている。掃除ローラ１の構成は、第１実施形態と類似しており、ベアリング５がここでは単純な点の形状でのみ示されている。さらに、図４及び図５における実施形態は、バネ要素９の第２端部領域９が、ローラコア４の閉鎖された円筒形の周面を形成しておらず、その上にローラカバー６が載置される開放構造を形成している点で異なっている。図５は、掃除対象面上に置かれた状態の掃除ローラ１を示す。ローラカバー６と掃除対象面との間の接触領域を構成する支持面１０が存在することが見てとれる。バネ要素７に作用する掃除ローラ１又は掃除機２の重量が、支持面１０で終端するバネ要素７を圧縮する。支持面１０の縁領域に割り当てられたバネ要素７が径方向に伸張する一方、支持面１０の中央領域に割り当てられたバネ要素７は実質的に圧縮される。圧縮又は膨張に起因するバネ要素７の伸張又は拡がりが支持面１０を周方向に拡げることにより、掃除ローラ１は、掃除対象面上で特に大きな支持面１０を有することになる。同時に、掃除ローラ１の周長が一定に維持されることによって、ローラカバー６には皺が寄らず、最適な掃除を行うことができる。
【００２９】
図６及び図７は、本発明の第３の実施形態を示し、掃除ローラ１が、ベアリング５とローラカバー６との間に径方向に形成されたバネ要素７を有する。バネ要素７は、ここでは長手軸３の方向に形成され、ベアリング５から径方向に突出するプラスチック板である。バネ要素７は、ベアリング５に対して旋回させられ、バネ要素７の第１端部領域８がそれぞれ、ベアリング５の外面上の対応する溝１９内に係合している。溝１９の開口幅とバネ要素７の厚さが、ベアリング５に対するバネ要素７の旋回可能な最大角度を決定する。掃除ローラ１の負荷状態において、掃除対象面上に起立するバネ要素は、一方では最大旋回角度を利用して互いに離間し、そして他方ではバネ要素７が弾性的に変形する。その結果、ローラカバー６がここでも挟まれることによって、可能な最大の支持面１０を掃除対象面上に形成する。
【００３０】
図８及び図９は、本発明の第４の実施形態を示し、複数のＵ形のバネ要素７がローラコア４の周方向に蛇行して連結されている。ここで、蛇行した形状のループは周方向にあり、その曲面の頂点は、一方ではベアリング５の方に向いた第１端部領域８を形成し、他方ではローラカバー６の方に向いた第２端部領域９を形成する。第２端部領域９の各々はウェブ１６を有し、それはローラコア４の円筒形の周面と接続されている。ローラカバー６は、この周面に対して当接している。掃除ローラ１に対し掃除ローラ１又は掃除機２の重量が印加されると、ローラカバーの方に向いた蛇行形状の第２端部領域９が圧縮されることによって掃除対象面上で支持面１０が拡大し、それによって掃除ローラ１が最大限に掃除対象面に載置されることとなる。同時に、掃除ローラ１の周長は一定に維持されることで、ローラカバー６に皺が形成されることはない。
【００３１】
図１０及び図１１に示す第５の実施形態は、各々Ｌ形に形成されたバネ要素７からなる。バネ要素７は、Ｌ形の２つの脚部の接続部にてテーパー状であり、それによってフィルムヒンジと同様の弾性的変形特性を生じる。これらのバネ要素７に重量が印加されると、ローラカバー６に割り当てられた脚部のうち１又は複数がローラカバー６に対して有効に当接するまで、バネ要素７が折り曲げられる。これにより、特に大きな支持面１０を形成する。
【００３２】
図１２は、掃除ローラ１の第６の実施形態を示し、バネ要素７が各々Ｙ字状に形成されている。各バネ要素７は、ここではベアリング５上に配置された１つの第１端部領域８と、ローラコア４の外周面に配置された２つの第２端部領域とを有する。バネ要素７が負荷を受けると、バネ要素７の２つの第２端部領域９が互いに離間することによって、２つの第２端部領域９同士の間に挟まれた面が、掃除ローラ１の特に大きな支持面１０を形成する。
【００３３】
図１３及び図１４は、掃除ローラ１のさらに別の実施形態を示し、それは、エア室２０を具備するローラコア４を有する。特に、図１３における掃除ローラ１は、中央のベアリング５にリム２１を有する。リム２１は、エア室２０を担持しており、エア室２０の外側はローラカバー６により覆われている。エア室２０は、ここでは単一のエア空間をもって形成されている。エア室２０に掃除ローラ１又は掃除機２の重量が印加されると、掃除対象面上に起立するエア室２０の周縁部が押圧され、それに影響される一部のエア空間のエアが、エア室２０の周縁部の残りの部分へと逃げる。エア室２０は、支持面１０において、それまでの実質的な円形から変位し、掃除対象面に対して平坦に載置される。他の要因の中でもとりわけ、エア室２０内のエア圧と大気圧とが、平坦さの程度を決定する。さらに、掃除ローラ１又は掃除機２による重量と共に、エア室の大きさ及び材料が重量な役割を果たす。
図１４における実施形態では、掃除ローラ１が、複数のエア室２０を有し、それらは掃除ローラ１の周方向に互いに隣り合っている。各エア室２０は、掃除ローラ１の周縁の一部及び長手軸３に亘って延在する密閉されたエア空間を形成する。掃除ローラ１が掃除対象面上に載置されると、掃除対象面に隣接するエア室２０が圧縮され、このエア室２０に含まれるエアのみが移動する。ここではエア室２０の外側の円形が平坦化され、平坦化の程度は、図１３の実施形態よりも小さい。
【符号の説明】
【００３４】
１  掃除ローラ
２  掃除機
３  長手軸
４  ローラコア
５  ベアリング
６  ローラカバー
７  バネ要素
８  第１端部領域
９  第２端部領域
１０  支持面
１１  アタッチメント
１２  ベースユニット
１３  柄
１４  取っ手
１５  充填孔
１６  ウェブ
１７  端部領域ベース
１８  突起
１９  溝
２０  エア室
２１  リム
【図１】
2018531057.tif 000003
【図２】
2018531057.tif 000004
【図３】
2018531057.tif 000005
【図４】
2018531057.tif 000006
【図５】
2018531057.tif 000007
【図６】
2018531057.tif 000008
【図７】
2018531057.tif 000009
【図８】
2018531057.tif 000010
【図９】
2018531057.tif 000011
【図１０】
2018531057.tif 000012
【図１１】
2018531057.tif 000013
【図１２】
2018531057.tif 000014
【図１３】
2018531057.tif 000015
【図１４】
2018531057.tif 000016
【国際調査報告】
2018531057.tif 000017
2018531057.tif 000018
2018531057.tif 000019
2018531057.tif 000020
2018531057.tif 000021
2018531057.tif 000022